(57)【要約】      （修正有）【課題】使用後に針先が突き出すことを防止可能な翼状針の安全キャップを提供する。【解決手段】翼状針２の安全キャップ１において、翼状針２の外部に被せるために用いられる安全キャップ１は、第一挟持片１１と第二挟持片１２を備えている。第一挟持片１１は、その末端の第一端部１１１が外側へ上がるように延び出し、第一挟持片１１の底面両側は凹口溝１１２を有している。第二挟持片１２は、第一挟持片１１と共に連結部１３に連結して、第二挟持片１２の末端の第二端部１２１は、第一端部１１１に対応して、外側へ上がるように延び出し、それによって、安全キャップ１は、二つの端部の間で針キャップ口１４を形成している。第二挟持片１２は、凹口溝１１２に対応する位置に係止片１２２を有し、この二つの挟持片１１、１２の間に係止片１２２で隔てられる前後二つの導溝１５１、１５２を形成する。【選択図】図１
0003177814.tif 000002
【実用新案登録請求の範囲】
【請求項１】
翼状針の外部に被せるために用いられる安全キャップであって、
前記安全キャップは、第一挟持片および第二挟持片を備え、
前記第一挟持片は、末端の第一端部が外側へ上がるように延び出し、前記第一挟持片の底面両側に凹口溝を有し、
前記第二挟持片は、前記第一挟持片に連結し、末端の第二端部が前記第一端部に対応して他の外側へ上がるように延び出し、前記第一挟持片との間で針キャップ口を形成し、前記凹口溝に対応する位置に係止片を形成し、前記第一挟持片との間に前記係止片で隔てられる前後二つの導溝を形成することを特徴とする翼状針の安全キャップ。
【請求項２】
前記第一挟持片は、前記第二挟持片と共に対応して連結部に連結し、
前記導溝は、外部と連通し、前記連結部の導孔と相互に連通することを特徴とする請求項１に記載の翼状針の安全キャップ。
【請求項３】
前記翼状針は、輸液チューブに接続され、
前記翼状針を前記針キャップ口に挿入し、翼片を前記導溝に通らせ、前記係止片の制限で逆に戻って移動できなくなるように、前記翼状針を前記安全キャップの前記第一挟持片と前記第二挟持片との間に置かせることを特徴とする請求項１に記載の翼状針の安全キャップ。
【請求項４】
前記第一挟持片の他の一端は、第一連結溝を有する第一連結部に連結し、
前記第二挟持片は、前記第一挟持片に対応して、前記第一連結部に嵌る形状をしている第二連結部を有し、
前記第一挟持片は、前記第一連結部を介して前記第二挟持片の前記第二連結部に嵌められることを特徴とする請求項１に記載の翼状針の安全キャップ。
【請求項５】
前記第二連結部は、前記第一連結溝に対応して第二連結溝を有し、
前記第一連結溝は、前記第二連結溝と共に開孔を形成することを特徴とする請求項１に記載の翼状針の安全キャップ。
【請求項６】
前記第一挟持片の両側に凸係止部が形成され、
前記第一挟持片は、前記凸係止部の形状に対応して凹接口を有していることを特徴とする請求項１に記載の翼状針の安全キャップ。
【請求項７】
前記第一挟持片は、第一連結孔を有し、
前記第二挟持片は、前記第一挟持片に対応して、前記第一連結孔に嵌合するために用いられる第一連結ラッチを有し、
前記第二挟持片は、前記第一連結ラッチを介して前記第一連結孔に連結することを特徴とする請求項１に記載の翼状針の安全キャップ。
【請求項８】
前記係止片は、順行に従って導入した後、逆行で導出されない構造の形状であることを特徴とする請求項１に記載の翼状針の安全キャップ。
【考案の詳細な説明】
【技術分野】
【０００１】
本考案は、翼状針の安全キャップに関する。
【背景技術】
【０００２】
現在、医療用の翼状針に対する設計構成は多くあり、たとえば、台湾特許第２２１５５６号公報に開示された「翼状針による安全キャップの革新構成」は、１つの例である。前記特許の特徴は、中空の針キャップを備え、前記中空の針キャップに溝を設けて、前記溝の前端は“Ｖ”形の導入口であって、その中部には、左右でそれぞれ細長い溝を形成して、その末端は、細長い長方形である導針溝を設けて、前記導針溝の前端は、二つ傾斜する導角を設けて、前記翼状針は、安全キャップに装着されて、しかも前記翼状針の翼部は、前記安全キャップの導針溝に係止される。
【考案の概要】
【考案が解決しようとする課題】
【０００３】
しかしながら、このような構成について、直接針キャップの前端で“Ｖ”形の導入口を形成するため、細い溝を広くさせる現象が生じ、さらに前記導針溝の前端は二つの傾斜する導角を設ける。そのため、翼状針が外部からの力を受けて押して寄せるか震動する時、導針溝の傾斜する導角で導かれて、翼状針の翼部は細い溝から滑り出させやすくなる。したがって、針先が針キャップから突き出し、人の手などに針先が刺さりウィルスに感染する危険をもたらす。
本考案は、上記問題に鑑みてなされたものであり、その目的は、使用後に針先が突き出すことを防止可能な翼状針の安全キャップを提供することである。
【課題を解決するための手段】
【０００４】
上記問題に鑑み、本願の考案者は、翼状針の安全キャップによる構成を改良して、二回目で繰り返し翼状針の安全キャップを使用することを防ぎ、二つの挟持片の間で形成した導溝を介して、翼状針にある翼部の逆行を制限して、そして、翼状針の針先を安全キャップの第１挟持片と第２挟持片との間に装着させて、それによって、刺し傷つける危険を免れて、しかも、針先を繰り返し使用されることができなくて、安全キャップで翼状針が使用上の安全と確保できて、針先が洗われてから二度と使用される弊害を防止する。
【図面の簡単な説明】
【０００５】
【図１】本考案の第一実施形態による安全キャップを示す斜視図である。
【図２】図１の安全キャップに収納された翼状針を取り出す時の様子を示す斜視図である。
【図３】図１の安全キャップに翼状針を格納する時の様子を示す斜視図である。
【図４】図２の安全キャップを側方から見た図である。
【図５】図３の安全キャップを側方から見た図である。
【図６】図１の安全キャップを他の翼状針に使用しているところを示す斜視図である。
【図７】図１の安全キャップに他の翼状針を格納した状態を示す斜視図である。
【図８】図１の安全キャップを採血時に使用する状態を示す斜視図である。
【図９】図１の安全キャップを点滴時に使用する状態を示す斜視図である。
【図１０】本考案の第二実施形態による安全キャップを示す分解斜視図である。
【図１１】本考案の第三実施形態による安全キャップを示す分解斜視図である。
【図１２】図１１の安全キャップの組立図である。
【図１３】図１１の安全キャップに収納された翼状針を取り出す時の様子を示す斜視図である。
【図１４】図１１の安全キャップに翼状針を格納する時の様子を示す斜視図である。
【図１５】図１３の安全キャップを側方から見た図である。
【図１６】図１３の安全キャップから翼状針が取り出された状態を側方から見た図である。
【図１７】図１４の安全キャップを側方から見た図である。
【図１８】図１１の安全キャップを他の翼状針に使用しているところを示す図である。
【図１９】本考案の第四実施形態による安全キャップを翼状針に使用しているところを示す斜視図である。
【図２０】本考案の第五実施形態による安全キャップを翼状針に使用しているところを示す斜視図である。
【図２１】本考案の第五実施形態による安全キャップに翼状針を格納した状態を示す斜視図である。
【考案を実施するための形態】
【０００６】
（第一実施形態）
図１は、本考案の第一実施形態による安全キャップを示す斜視図である。安全キャップ１は、翼状針２を装着するために用いられる。
【０００７】
安全キャップ１は、第一挟持片１１および第二挟持片１２を備えている。第一挟持片１１は、その末端の第一端部１１１が外側へ向くように延び出し、第一挟持片１１の他の一端は、第二挟持片１２と共に連結部１３に連結している。第二挟持片１２は、第一端部１１１に対応する末端の第二端部１２１が外側へ向くように延び出している。安全キャップ１は、第一端部１１１と第二端部１２１との間で針キャップ口１４を形成する。
【０００８】
第一挟持片１１は、その底面の両側に凹口溝１１２を有し、第二挟持片１２は、凹口溝１１２に対応する箇所に係止片１２２を形成している。第一挟持片１１は、第二挟持片１２と共に連結部１３に連結され、この二つ挟持片の間に係止片１２２で隔てられる前後二つの導溝１５１、１５２を形成している。第一挟持片１１と第二挟持片１２との間にある導溝１５１、１５２は、外部へ連通しており、連結部１３が有する導孔１３１と相互に連通している。
【０００９】
翼状針２は、針管固定部２１を有している。針管固定部２１の一端には、針先２２が固定され、他端には、輸液チューブ３が接続可能である。また、針管固定部２１は、その側方へ延びる翼片２３を形成している。輸液チューブ３は、翼状針２に接続されると導孔１３１を通じ連結部１３を挿通する。
【００１０】
図２は、安全キャップ１に収納された翼状針２を取り出す時の様子を示す斜視図である。図４は、図２の安全キャップ１を側方から見た図である。注射する時、翼片２３を持って翼状針２を針キャップ口１４から引き抜き、輸液チューブ３は、導孔１３１で導溝１５１、１５２を通ってから翼状針２と一緒に安全キャップ１から引き抜かれる。
【００１１】
図３は、翼状針２を安全キャップ１に格納する時の様子を示す斜視図である。図５は、図３の安全キャップ１を側方から見た図である。注射した後、導孔１３１の後方を通った輸液チューブ３を持って翼状針２を安全キャップ１の針キャップ口１４に挿入させ、それによって、翼状針２の翼片２３は、先ず前端の導溝１５１を経て、そして係止片１２２を通って、後端の導溝１５２に入る。
【００１２】
後端の導溝１５２に入った翼片２３は、係止片１２２の制限で前端の導溝１５１への逆方向に戻って移動できない。そのため、翼状針２の針先２２は、図５に示されるように、安全キャップ１の第一挟持片１１と第二挟持片１２との間に格納され、針先２２が人の手などに刺さることを防止可能であり、針先２２を二度と引き出し使用されない。安全キャップ１によって、翼状針２の使用上の安全性を確保することができ、針先２２が洗われた後に再度用いられる弊害を防止する。
【００１３】
係止片１２２は、順行に従って導入した後、逆行で導出されない構造の形状となっており、図５に示すように、係止片１２２は、斜めの弧度で延伸してその末端が尖った形状を呈する板片であって、翼状針２の翼片２３は、係止片１２２を通って後端の導溝１５２に入り、しかも後端の導溝１５２中の翼片２３は、係止片１２２の斜めの弧度による板片により係止され、前端の導溝１５１へ逆方向に戻って移動することができない。
【００１４】
安全キャップ１は、図６および図７に示すような翼状針２Ａと併せて用いることもできる。翼状針２Ａと翼状針２との差異は、翼状針２Ａの針管固定部２１が、両側に延び出す翼片２３１Ａ、２３２Ａを有している点である。他の構成は、翼状針２と同じであり、同様の参照符号は同様の部品を指すものとして説明を省略する。
【００１５】
翼状針２Ａを使用した後、導孔１３１後方の輸液チューブ３を把持して、翼状針２Ａを安全キャップ１の針キャップ口１４に収納させる。後端の導溝１５２中に入った翼片２３１Ａ、２３２Ａは、係止片１２２の制限で前端の導溝１５１への逆方向に戻って移動できないため、針先２２は図７に示すように第一挟持片１１と第二挟持片１２との間に格納される。
【００１６】
安全キャップ１を翼状針２或いは翼状針２Ａと併せて使用する時、図８に示すように、輸液チューブ３の後端は、採血筒４と採血管５に接続され、採血に用いられる。また、図９に示すように、輸液チューブ３の後端は、点滴筒６と点滴ボルト７とに接続され、点滴に用いられる。
【００１７】
（第二実施形態）
図１０は、本考案の第二実施形態による安全キャップを示す斜視図である。安全キャップ１Ａは、翼状針２の外部に被せるために用いられる。
【００１８】
安全キャップ１Ａは、その主な構成が第一実施形態による安全キャップ１と同じであり、符号の後ろにＡを付けて説明を省略する。その差異とは、第一挟持片１１Ａの他端は、第一連結部１３１Ａに連結されていること、第一連結部１３１Ａは、第一連結溝１３１１Ａを有していること、第二挟持片１２Ａは、第一挟持片１１Ａに対応して、第一連結部１３１Ａを嵌める第二連結部１３２Ａを有し、第二連結部１３２Ａは、第一連結溝１３１１Ａに対応して第二連結溝１３２１Ａを有していることである。
【００１９】
第一挟持片１１Ａは、第一連結部１３１Ａを介して第二挟持片１２Ａの第二連結部１３２Ａに接続している。安全キャップ１Ａは、第一端部１１１Ａと第二端部１２１Ａとの間で針キャップ口（図示せず）を形成し、しかも第一挟持片１１Ａと第二挟持片１２Ａとの間に係止片１２２Ａで隔てられる前後二つの導溝（図示せず）を形成して、しかも第一実施形態と同じ効果を得ることができる。
【００２０】
（第三実施形態）
図１１は、本考案の第三実施形態による安全キャップを示す分解斜視図である。安全キャップ１Ｂは、翼状針２Ａの外部に被せるために用いられる。
【００２１】
安全キャップ１Ｂは、第一挟持片１１Ｂと第二挟持片１２Ｂとを有している。第一挟持片１１Ｂは、その一端の第一端部１１１Ｂが外側に延び出し、第二挟持片１２Ｂは、第一端部１１１Ｂに対応して、その末端の第二端部１２１Ｂが外側に延び出している。
【００２２】
第一挟持片１１Ｂは、その底面の両側に凹口溝１１２Ｂと凸係止部１１３Ｂを有し、第二挟持片１２Ｂは、凹口溝１１２Ｂに対応する位置に係止片１２２Ｂを有し、凸係止部１１３Ｂの形状に対応してそれぞれ凹接口１２３Ｂが設けられている。
【００２３】
第一挟持片１１Ｂの外部は、第一連結孔１１４Ｂを有し、第二挟持片１２Ｂは、第一挟持片１１Ｂに対応して、第一連結孔１１４Ｂと嵌め合うために用いられる第一連結ラッチ１２４Ｂを有し、それによって、第二挟持片１２Ｂは、第一連結ラッチ１２４Ｂを介して、図１２に示すように第一挟持片１１Ｂの第一連結孔１１４Ｂと嵌め合うことができる。
【００２４】
図１２に示すように、翼状針２Ａは、使用する前に、凸係止部１１３Ｂと凹接口１２３Ｂとの後方位置に定位されて、いつでも使われる状態と呈することがわかる。
【００２５】
図１３〜図１７に示すように、第一挟持片１１Ｂと第二挟持片１２Ｂとの間にある導溝１５１Ｂ、１５２Ｂは、外部に連通しており、しかも輸液チューブ３が安全キャップＢ内に前後で翼状針２Ａを引くことを介して、さらに本実施の形態に、図面に示すように、係止片１２２Ｂは、斜めの三角形の板片となって、その一つの三角形の板片は、その底角が４５度より小さくて、順側を形成して、他の底角が略９０度で逆側を形成して、それによって、翼状針２Ａの翼片２３は係止片１２２の順側を通って、比較的に広い後端の導溝１５２に入って、第一実施形態と同じ効果を得ることができる。
【００２６】
図１８に示すように、安全キャップ１Ｂも翼状針２の外部に被せるために用いられる。
【００２７】
（第四実施形態）
図１９は、本考案の第四実施形態による安全キャップを示す斜視図である。安全キャップ１Ｃは、翼状針２の外部に被せるために用いられる。
【００２８】
安全キャップ１Ｃは、第三実施形態の安全キャップ１Ｂと主な構成は同じである。したがって、符号の後ろにＣを付けて説明を省略する。両者の差異は、第一挟持片１１Ｃは、その底面にある凹口溝１１２Ｃから溝内返り防止片１１２１Ｃを延伸しており、第二挟持片１２Ｃは、溝内返り防止片１１２１Ｃに対応して、方向が横切る係止片１２２Ｃを有し、後端の導溝１５２Ｃにある翼状針２の翼片２３は、溝内返り防止片１１２１Ｃと係止片１２２Ｃの制限で前端の導溝１５１Ｃまで逆行できなく、第三実施形態と同じ効果を得ることができる。
【００２９】
（第五実施形態）
図２０および図２１は、本考案の第五実施形態による安全キャップを示す斜視図である。安全キャップ１Ｄは、翼状針２の外部に被せるために用いられる。
【００３０】
安全キャップ１Ｄは、第四実施形態による安全キャップ１Ｃと主な構成は同じである。したがって、符号の後ろにＤを付けて説明を省略する。両者の差異とは、第一挟持片１１Ｄは、その底面にある凹口溝１１２Ｄから溝内返り防止片１１２１Ｃを延伸しており、第二挟持片１２Ｄは、凹口溝１１２Ｄに対応して、方向が横切る係止片１２２Ｄを有し、後端の導溝１５２Ｄにある翼状針２の翼片２３は、係止片１２２Ｄの制限で前端の導溝１５１Ｄまで逆行できなく、第一実施形態と同じ効果を得ることができる。
【００３１】
上述した内容は、好ましい実施例の例示であり、本考案の技術的範囲を限定するものではない。従って、その趣旨及び必須の特定事項から逸脱することなく他のやり方で実施することができる。
【符号の説明】
【００３２】
１・・・・・安全キャップ
１Ｂ・・・・安全キャップ
２・・・・・翼状針
３・・・・・輸液チューブ
４・・・・・採血筒
５・・・・・採血管
６・・・・・点滴筒
７・・・・・点滴ボルト
１１・・・・第一挟持片
１１Ｂ・・・第一挟持片
１１Ｃ・・・第一挟持片
１１１・・・第一端部
１１１Ａ・・第一端部
１１１Ｂ・・第一端部
１１２Ｂ・・凹口溝
１１２Ｃ・・凹口溝
１１３Ｂ・・凸係止部
１１４Ｂ・・第一連結孔
１２１Ａ・・第二端部
１１２・・・凹口溝
１１２１Ｃ・溝内返り防止片
１２・・・・第二挟持片
１２Ｂ・・・第二挟持片
１２Ｃ・・・第二挟持片
１２１・・・第二端部
１２１Ｂ・・第二端部
１２２・・・係止片
１２２Ｂ・・係止片
１２２Ｃ・・係止片
１２４Ｂ・・第一連結ラッチ
１３・・・・連結部
１３１・・・導孔
１３１Ａ・・第一連結部
１３２Ａ・・第二連結部
１３１１Ａ・第一連結溝
１３２１Ａ・第二連結溝
１４・・・・針キャップ口
１５１・・・導溝
１５１Ｂ・・導溝
１５２Ｂ・・導溝
１５２Ｃ・・導溝
１５２・・・導溝
２１・・・・針管固定部
２２・・・・針先
２３・・・・翼片
２３１Ａ・・翼片
２３２Ａ・・翼片
【図１】
0003177814.tif 000003
【図２】
0003177814.tif 000004
【図３】
0003177814.tif 000005
【図４】
0003177814.tif 000006
【図５】
0003177814.tif 000007
【図６】
0003177814.tif 000008
【図７】
0003177814.tif 000009
【図８】
0003177814.tif 000010
【図９】
0003177814.tif 000011
【図１０】
0003177814.tif 000012
【図１１】
0003177814.tif 000013
【図１２】
0003177814.tif 000014
【図１３】
0003177814.tif 000015
【図１４】
0003177814.tif 000016
【図１５】
0003177814.tif 000017
【図１６】
0003177814.tif 000018
【図１７】
0003177814.tif 000019
【図１８】
0003177814.tif 000020
【図１９】
0003177814.tif 000021
【図２０】
0003177814.tif 000022
【図２１】
0003177814.tif 000023